(57)【特許請求の範囲】
【請求項１】
地図上の位置を指定するための位置指定部と、
指定された前記地図上の位置の絶対位置を測位する測位部と、
ネットワークを介して、所定の地点に存在する店舗又は施設に関するウェブページのアドレス情報が含まれた地点情報を格納した地点情報検索サイトにアクセスする通信部と、
前記位置指定部により指定された位置に基づいて、前記地点情報検索サイトから前記地点情報を前記位置指定部により指定された位置に対する付加情報として取得すると共に、取得された前記地点情報に含まれる前記アドレス情報に基づいてアクセスする前記ウェブページに含まれる情報をさらに前記付加情報として取得する付加情報取得部と、
前記測位部により測位された絶対位置の情報を記録すると共に、当該指定された位置が記録された時間情報と、前記付加情報取得部により取得された前記付加情報を記録するデータ記録部と、
を備える、ナビゲーション装置。
【請求項２】
ネットワークに接続され、所定の地点に存在する店舗又は施設に関するウェブページのアドレス情報が含まれた地点情報を格納した地点情報検索サーバと、前記ネットワークに接続して前記地点情報検索サーバにアクセスするナビゲーション装置とを備え、
前記地点情報検索サーバは、
前記ナビゲーション装置から送信された所定の位置の地点情報の取得要求に従って前記地点情報を検索し、検出された当該地点情報を前記ナビゲーション装置へ送信し、
前記ナビゲーション装置は、
前記所定の位置を指定するための位置指定部と、
指定された前記所定の位置の絶対位置を測位する測位部と、
前記地点情報検索サーバから送信された地点情報に含まれる前記アドレス情報に基づいてアクセスする前記ウェブページに含まれる情報と、当該地点情報とを付加情報として取得する付加情報取得部と、
前記測位部により測位された絶対位置の情報を記録すると共に、当該指定された位置が記録された時間情報と、前記付加情報取得部により取得された前記付加情報を記録するデータ記録部と、
を有する、地点情報のネットワーク検索システム。
【請求項３】
前記地点情報検索サーバは、
前記地点情報の取得要求にて指定された条件に基づき、格納された前記地点情報から前記条件を満たす地点情報を複数抽出して、抽出された地点情報を識別する名称のリストを生成して前記ナビゲーション装置へ送信し、
前記ナビゲーション装置は、
前記リストのうちの指定する地点情報を前記地点情報検索サーバから取得する、
請求項２に記載の地点情報のネットワーク検索システム。
【請求項４】
ナビゲーション装置にて地図上の位置の指定を受付けるステップと、
前記指定された位置の絶対位置情報を記録するステップと、
前記絶対位置情報を地点情報検索サイトへと送信するステップと、
前記指定された位置に関連する地点情報を前記地点情報検索サイトから取得するステップと、
取得した前記地点情報に含まれるアドレス情報に基づいてウェブページにアクセスするステップと、
前記ウェブページに含まれる情報を取得するステップと、
取得した前記地点情報と前記ウェブページに含まれる情報とを、前記指定された位置に関連する付加情報として記録するステップと、
を含む、地点情報の取得方法。
【請求項５】
記録した前記付加情報を前記地図に関連づけて表示するステップをさらに含む、請求項４に記載の地点情報の取得方法。
【請求項６】
コンピュータを、
地図上の位置を指定するための位置指定部と、
指定された前記地図上の位置の絶対位置を測位する測位部と、
ネットワークを介して、所定の地点に存在する店舗又は施設に関するウェブページのアドレス情報が含まれた地点情報を格納した地点情報検索サイトにアクセスする通信部と、
前記位置指定部により指定された位置に基づいて、前記地点情報検索サイトから前記地点情報を前記位置指定部により指定された位置に対する付加情報として取得すると共に、取得された前記地点情報に含まれる前記アドレス情報に基づいてアクセスする前記ウェブページに含まれる情報をさらに前記付加情報として取得する付加情報取得部と、
前記測位部により測位された絶対位置の情報を記録すると共に、当該指定された位置が記録された時間情報と、前記付加情報取得部により取得された前記付加情報を記録するデータ記録部と、
を備える、ナビゲーション装置として機能させるためのプログラム。
【発明の詳細な説明】
【０００１】
【発明の属する技術分野】
本発明は、地図上の地点その地点情報とを管理するナビゲーション装置及びこの地点情報をナビゲーション装置に提供するためのネットワークシステムに関する。
【０００２】
【従来の技術】
ナビゲーション装置は、ＧＰＳ（Global Positioning System：全地球測位システム）衛星を利用して自位置や移動速度をリアルタイムで求めることができる。そして、電子化された地図データに基づいて表示部に地図を表示し、さらに、ＧＰＳで測位した現在位置や、目的地までのガイド用の移動ルート等を表示された地図に重ね合わせて表示する。
【０００３】
通常、ナビゲーション装置では、表示部に表示された地図上の任意の地点に、ユーザの任意によりマークを登録することができる。このマークには、名称を付けたり、マークを登録した位置に関する付加情報である地点情報を付帯させることも可能である。このようにして登録されたマークの地図上の位置や、当該マークに付加された地点情報は、ナビゲーション装置に備えられた記録ディスク等に記録される。
【０００４】
ユーザは、ナビゲーション装置のこの種の機能を用いて、気に入った地点やチェックしておきたいポイントを、ナビゲーション装置の表示部に表示された地図上にマークし、必要に応じて、このマークに地点情報を付加させることができる。
マークに付加情報を付加する手法としては、表示部に階層構造で表示されるメニューを参照して所望の情報を選択したり、ナビゲーション装置に設けられている操作ボタンなどを操作して手入力したりすることができる。
【０００５】
【発明が解決しようとする課題】
上述したように、登録されたマークに地点情報を付加するためには、階層構造で表示されたメニューをたどって所望の情報を選択したり、ナビゲーション装置の表示画面に組み込まれたタッチパネルやフロントパネルに備えられたボタン、またはナビゲーション装置のリモコン等の入力デバイスを用いて入力作業を行ったりしていた。
このように、地点情報の入力作業は、タッチパネルやボタン若しくはリモコンによる複雑な操作を要し、多大な手間と時間がかかっていた。
また、ナビゲーション装置において、地図上にマークを登録し、登録された当該マークに対して地点情報を付加するというような作業は、記憶が新しいうちに行うことが好ましく、当該マークを登録しようとしたときに行われることが望ましい。しかしながら、運転中にこのような複雑な操作を行うのは危険であるため、たいていは、停車中や運転終了後、つまりマークを登録してから或る程度時間が経過した後に地点情報の入力作業が行われることになる。
【０００６】
このように、運転中にマークのみを登録しておいて、時間が経過した後に当該マークについての地点情報を入力しようとすると、後に思い返してもそのマークが何であったのかがよくわからなくなってしまう場合があった。そして、マークを登録したときに付加しようとしていた情報の一部しか思い出すことができず、結局は中途半端な地点情報しか記録できなかったり、地点情報が何も記録されていないマークだけが残ってしまう場合があった。
マークに対して入力しなければならない項目が多い場合などは、入力作業も煩雑となるため、地点情報の入力を後回しにしてさらに時間を経過させてしまい、上記のような事態を助長していた。
このように、中途半端な地点情報しか付加されていないマークや地点情報の付加されていないマークは、後に地点情報に基づいたルート探索等に用いようとしても、有効活用することができない。
【０００７】
ところで、現行のナビゲーション装置の地図データを記録したＣＤ（Compact Disk）−ＲＯＭ（Read Only Memory）やＤＶＤ（Digital Versatile Disk）−ＲＯＭ等の記録ディスクには、数千万件の住所や電話番号等の簡単な地点情報が記録されている。そして、上述の登録されたマークには、このＣＤ−ＲＯＭやＤＶＤ−ＲＯＭに記録された地点情報を関連付けることができる。なお、ナビゲーション装置におけるルート探索は、この地点情報に基づいて行われる。また、前もって登録されているマークの地点までのルート探索は、ナビゲーション装置の記録領域に記録されているマーク地点についての地点情報に基づいて行われる。
しかし、ユーザが、実際にナビゲーション装置を使用するにあたって必要とする地点情報は、この数千万件の地点情報のうちの一部であるが、個々のユーザが所望する具体的な地点情報については、記録ディスクに記録されているような簡単な情報だけではなくさらに詳しい情報を入手したい場合が多い。これに対し、上記ＣＤ−ＲＯＭやＤＶＤ−ＲＯＭなどの記録ディスクの容量には限界があるため、日本全国を網羅するような大量の地点情報についての詳細情報を記録しておくことは不可能であった。
また、個人的な趣味や嗜好に応じた、個々のユーザが必要とする地点情報は、これらのユーザの個人的な地点情報として記録されるべきものであって、その内容や必要とされる情報の詳しさはユーザ毎に異なる。したがって、結局このようなユーザ個々の地点情報は個別に入力せざるを得なかった。
【０００８】
そこで、本発明は、マークした地点に対して、詳細な地点情報を簡易な作業で取得し付加することを実現し、ナビゲーション装置の利便性を向上させることを目的とする。
また、本発明は、マークした地点に関する個別的な地点情報の付加を支援する手段を提供することを他の目的とする。
【０００９】
【課題を解決するための手段】
上記の目的を達成する本発明は、次のように構成されたことを特徴とするナビゲーション装置を提供する。このナビゲーション装置は、地図上の地点を指定するための位置特定手段と、ネットワークを介して、このネットワーク上に配設されて所定の地点情報を格納した地点情報検索サイトにアクセスする通信手段と、位置特定手段にて指定された地点に対する付加情報として、地点情報をこの地点情報検索サイトからこの通信手段を介して取得する地点情報取得手段とを備える。
【００１０】
ここで、このナビゲーション装置は、地点情報取得手段が取得した地点情報を記録するデータ記録手段をさらに備え、この地点情報取得手段は、地点情報検索サイトから選択可能な地点情報の一覧である地点情報リストを取得し、さらにこの地点情報取得手段は、取得した地点情報リストの中から選択された所望の項目に関連付けられた詳細な情報を取得し、このデータ記録手段は、この地点情報取得手段にて取得された情報を記録する。
またここで、この位置特定手段は、ＧＰＳ衛星から発信される信号に基づいて指定された地点の位置を測位する測位手段を備え、この測位手段によって測位された指定された地点の位置を示す緯度及び経度の情報を記録すると共に、この指定された地点が記録された時間情報をも併せて記録する。この時間情報とは、日付および時間の情報を合わせて記録するものとする。
【００１１】
また、本発明は、次のように構成されたことを特徴とする情報処理装置を提供することができる。すなわち、この情報処理装置は、地図情報に基づいて地図を表示する表示手段と、この表示手段に表示された地図上の所定の位置に地点マークを表示させるデータ処理手段と、この地点マークの位置の情報に基づいて、この位置に関する付加情報をネットワークを介して取得する通信手段とを備える。
ここで、このデータ処理手段は、地図上の地点マークに関する地点情報が地図情報に含まれないときには、この地点マークの位置に基づいた地点情報を地点情報検索サイトから通信手段を介して取得させる。
【００１２】
さらにまた、本発明は、次のように構成されたことを特徴とする地点情報のネットワーク検索システムを提供する。この地点情報のネットワーク検索システムは、ネットワークに接続され、地点情報を格納した地点情報検索サーバと、ネットワークに接続して地点情報検索サーバにアクセスするナビゲーション装置とを備える。そしてこのナビゲーション装置は、地点マークの位置の地点情報の取得要求を地点情報検索サーバに対して行い、地点情報検索サーバは、ナビゲーション装置からの取得要求に従って地点情報を検索し、検出された地点情報をナビゲーション装置へと送信する。
ここで、このシステムにおいて地点情報検索サーバは、地点情報の取得要求にて指定された条件に基づいて、格納された地点情報からこの条件を満たす地点情報を抽出して地点情報のリストを生成する。
【００１３】
また、上記の目的を達成する本発明は、ナビゲーション装置における地点情報の取得方法であって、このナビゲーション装置にて地図上の地点の指定を受け付け、指定された地点の位置を記録するステップと、この地点の位置の情報を地点情報検索サイトへと送信するステップと、この地点の位置に関連する地点情報を地点情報検索サイトから受け取るステップとを含むことを特徴とする。
さらにこの地点情報の取得方法は、地点情報検索サイトから受け取った地点情報を地図に関連付けて表示するステップをさらに含むことを特徴とする。
【００１４】
さらにまた、本発明は、地図画像及び地点情報を表示するコンピュータ装置を制御するプログラムを提供する。このプログラムは、地図画像上に地点マークの入力を受け付ける処理と、この地点マークの位置の情報を外部のコンピュータ装置へと送信する処理と、外部のコンピュータ装置に格納された地点情報の中から、選択された位置の情報に関する地点情報を受信し、記録装置に記録する処理とをコンピュータ装置に実行させる。
このプログラムは、磁気ディスクや光ディスク、半導体メモリ、その他の記憶媒体に格納して配布したり、ネットワークに接続されたプログラム伝送装置の記憶装置に格納し当該ネットワークを介して配信したりすることにより提供することができる。
【００１５】
【発明の実施の形態】
以下、添付図面に示す本実施の形態について本発明を詳細に説明する。
◎実施の形態１
図１は、本実施の形態におけるナビゲーション装置１０にて登録したマークに関する地点情報を、ネットワークを介して配信するためのシステムの概略を示すブロック図である。
図１に示すように、本実施の形態におけるナビゲーション装置１０にて登録されたマークの地点情報を配信するネットワーク配信システムは、ナビゲーション装置１０に接続されたパーソナルコンピュータ４０と地点情報検索サイト６０とが、広域ネットワークであるインターネット５０によって相互接続された構成となっている。
【００１６】
ナビゲーション装置１０は、このナビゲーション装置１０に備えられた記録ディスクから読み出された地図やマーク、またこのマークに関連付けられて記録された地点情報等を表示する表示部や、このナビゲーション装置１０を操作するための操作部等を備えている。また、本実施の形態においては、ナビゲーション装置１０からインターネット５０に接続するための通信手段として、パーソナルコンピュータ４０を介するようにしている。ナビゲーション装置１０とパーソナルコンピュータ４０とは、シリアルケーブル２６によって接続されている。なお、ナビゲーション装置１０とパーソナルコンピュータ４０との接続手段は、シリアルケーブル２６に限られるものではなく、これらの機器双方に接続用のポートが備えられていれば、ＵＳＢ（Universal Serial Bus）ケーブル等、他のケーブルを用いても良いし、赤外線ポートやＬＡＮ（Local Area Network）等を用いてデータの送受信を行うことも可能である。また、シリアルケーブル２６で接続することができないような場合であっても、メモリスティック２７などのリムーバブルメモリメディアを用いてデータの受け渡しを行うことができる。
【００１７】
図１において、相互接続されたナビゲーション装置１０からパーソナルコンピュータ４０へと、マークの位置の情報と地点情報とが送信される。そして、パーソナルコンピュータ４０の記録ディスクに検索用のデータベースが記録・格納されているときには、この検索用データベースの中から、マークの位置に近い位置の地点情報の検索（最寄り検索）が行われる。この最寄り検索によって検出された地点情報のリストの中から任意の地点情報を選択することによって選択された地点情報をマークの位置に対して付加することができる。
【００１８】
また、パーソナルコンピュータ４０の記録ディスクの中に地点情報の検索用データベースが存在していなかったときや、検索用データベースの中にユーザの所望する地点情報が存在していなかったときには、インターネット５０を介してパーソナルコンピュータ４０と地点情報検索サイト６０とが接続され、当該地点情報検索サイト６０においてマークの位置に基づいた地点情報の最寄り検索が行われる。地点情報検索サイト６０には、所定の情報に基づいて地点情報を検索する機能を持ったサーバが設置されており、パーソナルコンピュータ４０からの要求に応じて地点情報を検索し、当該パーソナルコンピュータ４０に返送することができる。
このように、インターネット５０を介して地点情報検索サイト６０から地点情報を取得できる構成とすれば、ナビゲーション装置１０に備えられているＣＤ−ＲＯＭやＤＶＤ−ＲＯＭ等の記録媒体に記録されている簡単な地点情報ばかりでなく、詳細かつ最新の地点情報を取得することができるようになる。
以上のようにしてパーソナルコンピュータ４０において取得された詳細な地点情報は、シリアルケーブル２６を介してナビゲーション装置１０へと送信され、ナビゲーション装置１０に蓄積することができる。
【００１９】
さて図２は、図１に示した地点情報のネットワーク配信システムのうちで、ナビゲーション装置１０とパーソナルコンピュータ４０の部分についての機能構成を説明するブロック図である。
図２に示すように、本実施の形態におけるナビゲーション装置１０は、ＧＰＳ衛星から発信された信号を受信し、受信された信号に基づいて測位を行う位置特定手段としてのＧＰＳ１１と、ナビゲーション装置１０を動作させるための所定のプログラムが格納されたＲＯＭ１２と、ＤＲＡＭ（Dynamic Random Access Memory）等からなる内部記憶装置としてのＲＡＭ１３と、ＲＯＭ１２に格納されたプログラムにしたがってナビゲーション装置１０全体の制御や演算処理を行うと共にパーソナルコンピュータ４０を介して地点情報検索サイト６０から地点情報を取得するＣＰＵ１４と、地図情報を記録・格納した記録ディスクからデータを読み取ることができ、さらにマークの位置や地点情報を記録ディスクに記録するデータ記録手段としてのディスクドライブ１５と、地図や様々な情報等をＧＵＩ（Graphical User Interface）で表示するディスプレイ１６と、ディスプレイ１６に表示された地図にマークを登録するためのマークボタン１７と、ナビゲーション装置１０に対しての様々な操作を行うためのリモートコントローラ１８と、このリモートコントローラ１８に備えられたマークボタン１９と、パーソナルコンピュータ４０との間でデータの送受信を行うためのシリアルポート２１と、リムーバブルメモリメディアにてデータの受け渡しを行うための外部記録媒体インターフェース（Ｉ／Ｆ）２２とを備えている。なお、本実施の形態では、リムーバブルメモリメディアとしてメモリスティック２７を用いるものとする。また、図示しないが、ナビゲーション装置１０やリモートコントローラ１８には、マークボタン１７、マークボタン１９以外にも、当該ナビゲーション装置１０の操作を行うために必要な操作ボタン等が備えられているものとする。
【００２０】
パーソナルコンピュータ４０は、一般に広く普及している汎用的なコンピュータ装置であって、ナビゲーション装置１０との間でデータの送受信を行うことのできるシリアルポート４１と、メモリスティック２７にてデータの受け渡しを行うための外部記録媒体インターフェース（Ｉ／Ｆ）４２と、一般の電話回線からインターネット５０に対して接続を行うためのモデム４４を備えたインターネット接続部４３と、表示部としてのディスプレイ４５とを備える。
本実施の形態では、インターネット接続部４３にモデム４４を備えた構成例示する。しかしながらこのインターネット接続部４３としては、必ずしもモデム４４を備えていなければならない訳ではなく、ＩＳＤＮ回線やＡＤＳＬ回線、またはその他の回線を使用した専用線、およびこれらに接続するための専用の接続機器を用いることもできる。このように、パーソナルコンピュータ４０を介してインターネット５０に接続することができるようなネットワーク環境が備えられていれば、他の接続形態を用いても構わない。
ナビゲーション装置１０のシリアルポート２１や外部記録媒体インターフェース２２と、パーソナルコンピュータ４０のシリアルポート４１や外部記録媒体インターフェース４２とは、その双方を必須の構成要件とするわけではなく、これらのうちの何れかを使用してデータの送受信または受け渡しが可能であれば、どちらか一方を備えていれば良い。
【００２１】
このナビゲーション装置１０は、ディスクドライブ１５にて地図を読み出してディスプレイ１６に表示する。このディスクドライブ１５は、ＣＤ−ＲＯＭやＤＶＤ−ＲＯＭ、またはハードディスク等の記録ディスクに記録・格納されたデータを読み取ることができるものとする。また、記録ディスクとしてハードディスクを用いれば、地図ばかりでなくマークの位置や、地点情報等のデータを書き込んで記録・格納しておくこともできる。
【００２２】
さて、ユーザがナビゲーション装置１０のディスプレイ１６に表示された地図上の或る地点にカーソル等を合わせた状態で、ナビゲーション装置１０に備えられたマークボタン１７、若しくはリモートコントローラ１８に備えられたマークボタン１９を操作すると、この地図上の任意の位置にマークをつけることができる。
ここで、ナビゲーション装置１０は、ＧＰＳ１１によって任意の位置の緯度と経度を知ることができる。よって、上述したように、地図上の或る地点にマークをつけたときには、このマークをつけた地図上の位置に基づいてこの位置の緯度と経度を求めることができる。そして、このマークの位置の情報としてこのマークの地図上の位置と共に、緯度・経度の情報がナビゲーション装置１０に記録・格納されることになる。
さらに、ナビゲーション装置１０は、このＧＰＳ１１の機能により、ＧＰＳ衛星から発信される電波を受信することによって、正確な日時を知ることができる。そこで、このマークに関連させて、上述したような緯度・経度の情報と共に、日時の情報をも記録・格納することができる。この日時の情報としては、時間単位ばかりではなく、分単位さらには秒単位まで正確に知ることができる。
このように、ナビゲーション装置１０のディスプレイ１６に表示された或る地点に対してマークをつけると、このマークに関する情報として、このマークをつけた日時の情報と、このマークの位置の緯度・経度の情報とが記録されることとなる。
【００２３】
また、ナビゲーション装置１０では、ユーザの好みによって、このマークに名前をつけて他のマークとの区別をつけ易くしたり、マークに関する地点情報を入力したりすることにより、マークに付加価値を与え、ディスクドライブ１５にて記録ディスク等へと書き込んで記録・格納しておくこともできる。
この地点情報の入力は、手作業によって一文字ずつ行うことも可能であるし、予め用意された入力用のプログラムによって表示される階層構造のメニューから選択することによって行うこともできる。
さらに、このナビゲーション装置１０では、住所や電話番号等から地図上の任意の地点を検索し、検索された地点に対してマークをつけることもできるものとする。このようにしてつけられたマークに対しても同様に、地点情報を付加することができる。
【００２４】
本実施の形態においては、この地点情報の入力に関して、さらに簡便かつ操作性の良い入力手段を提供するために、パーソナルコンピュータ４０を用いる。ナビゲーション装置１０においてマークをつけられたことによって生成されるマークの位置の情報は、それぞれのマークと関連付けられて図示しない記録ディスク等に記録・格納されているものとする。
このナビゲーション装置１０を図１に示したようにパーソナルコンピュータ４０と接続すると、パーソナルコンピュータ４０に用意された地点情報の編集用のアプリケーションソフトウェアにより、マークの位置情報のデータが読み込まれ、パーソナルコンピュータ４０において編集することができることとなる。
【００２５】
パーソナルコンピュータ４０へと送信されたマークの位置の情報は、パーソナルコンピュータ４０の図示しないメモリまたは記録ディスク等に保持される。そして、パーソナルコンピュータ４０に読み込まれたマークの位置の情報は、パーソナルコンピュータ４０に備えられた図示しないキーボードやマウス等の入力装置を用いた簡単な操作によってこのマークの位置の情報に関する地点情報を付加し、編集することができることとなる。パーソナルコンピュータ４０における地点情報の編集については、後に図３を用いて詳しく説明する。
【００２６】
次に、地点情報検索サイト６０について説明する。
地点情報検索サイト６０は、上述したように、パーソナルコンピュータ４０による地点情報の付加及び編集を支援するサイトである。この地点情報検索サイト６０に設置されている地点情報の検索用のサーバは、インターネット５０に接続されたウェブサーバであり、大容量のデータを記録・格納することのできる記録装置を備えている。この記録装置としては、データの書き換えを容易に行うことができるハードディスクドライブを採用する。そして、この地点情報の検索用のサーバには、常に最新の地点に関する情報が、記録・格納されているものとする。また、この地点情報検索サイト６０は、ナビゲーション装置１０にて記録されたマークの位置の情報に基づいた最寄り検索を行い、ユーザの所望する地点情報を検出することのできる検索機能を備えているものとする。
【００２７】
これまでに述べたように、ナビゲーション装置１０によって読み取ることのできるＣＤ−ＲＯＭやＤＶＤ−ＲＯＭ等で供給される地図情報には、ルート探索を行うための住所や電話番号等、最低限必要な程度の地点情報が記録されている。これに対し、地点情報検索サイト６０には、これらの記録媒体よりもはるかに大容量の記録装置を用意することができるため、地図上の地点に関する詳細な地点情報を記録しておくことができる。この詳細な地点情報としては、住所や電話番号ばかりでなく、それぞれの地点に存在する店舗や施設の詳細な紹介や、開催日時等の情報を含んだイベント等の紹介が記録されているものとする。このようにすれば、ユーザは、地点情報検索サイト６０にアクセスすることによって、これらの詳細な地点情報を取得することができる。
ここで、この地点情報についてさらに詳しくは、或る位置の緯度及び経度に基づいた情報として記録されている。また、この緯度・経度に基づいた詳細な地点情報には、時間の要素も含まれているものとする。
【００２８】
このように、地点情報検索サイト６０に詳細な地点情報を記録しておき、記録されている地点情報に関しての変更があったときにはタイムリーに更新を行うようにすれば、地点に関する最新かつ詳細な情報を提供することが可能となる。さらに、この詳細な地点情報の中に、それぞれの店舗や施設等が公開しているウェブページのＵＲＬ等も含めて記録することができれば、このＵＲＬを検索することによって、地点情報検索サイト６０に記録されている情報ばかりでなくより詳細な地点情報を取得することもできるようになる。このようにすれば、ウェブページに公開されている情報をも地点情報として活用することができるようになる。
【００２９】
また、地点情報検索サイト６０に備えられたサーバに、或る地点についてユーザが作成した地点情報を新しく登録したり、このサーバに記録されている既存の地点情報に対して新たな情報を追記したりすることができるようにすることも可能である。
さらに、特定のユーザが作成したユーザ独自の情報、例えばユーザ独自のお気に入りの地点情報等を地点情報検索サイト６０に備えられたサーバに記録することができるようにし、この特定のユーザが記録したお気に入りの地点情報を、インターネット５０を介して地点情報検索サイト６０に接続された他のユーザに公開すれば、複数のユーザがこのお気に入りの地点情報を利用することができるようになる。
【００３０】
上述したパーソナルコンピュータ４０は、インターネット接続部４３に備えられたモデム４４を用い、インターネット５０を介して、この地点情報検索サイト６０へと接続することができる。そして、マークの位置の情報に基づいて地点情報検索サイト６０に記録されている大量の地点情報に対して最寄り検索を行うことができる。なお、マークの位置の情報における精度と地点情報において特定される位置の精度との差から、当該マークの位置の情報に該当する地点情報が複数検出される場合がある。この場合は、まず検出された地点情報のリストが作成され、パーソナルコンピュータ４０のユーザが当該リストの中から所望の地点情報を選択することにより、必要な地点情報を取得することができる。
パーソナルコンピュータ４０は、このようにして取得した詳細な地点情報をメモリまたは記録ディスクに保持する。
【００３１】
以上のようにして、パーソナルコンピュータ４０のメモリまたは記録ディスクには、当該パーソナルコンピュータ４０により付加、編集されたマークの位置の情報及び地点情報、または地点情報検索サイト６０から取得されたマークの位置の情報及び地点情報が保持される。これらのマークの位置の情報及び地点情報は、シリアルポート４１、２１や、メモリスティック２７を介してナビゲーション装置１０に引き渡される。ナビゲーション装置１０に引き渡された地点情報は、ナビゲーション装置１０のディスクドライブ１５にて記録ディスクへと記録・格納される。このようにして記録された情報は、ナビゲーション装置１０にてマークに関する情報を読み出すことによってディスプレイ１６に表示させることができるようになる。
【００３２】
このようにすれば、ナビゲーション装置１０でマークをつけた位置の情報に関連付ける地点情報を、パーソナルコンピュータ４０を用いて簡便な操作にて編集し、ユーザ個別の詳細な地点情報を作成することが可能となる。また、地点情報検索サイト６０に接続することによって、手持ちの地図情報記録ディスクには記録されていない、詳細かつ時間の要素をも含んだ最新の地点情報を取得することが可能となる。またさらに、地点情報検索サイト６０に接続することによって、マークをつけてから暫く時間が経過して忘れかけていた地点の情報を検索することができるようになり、ユーザの記憶だけに頼って地点情報を作成するときよりも確かな情報を記録することができるようになる。
【００３３】
図３は、パーソナルコンピュータ４０のディスプレイ４５またはナビゲーション装置１０のディスプレイ１６に表示される表示画面の一例を示す図である。
図３（ａ）は、ナビゲーション装置１０の地図上にてマークが登録された位置の情報の一覧を表示するポイントマークリスト選択画面８１を示している。このポイントマークリスト選択画面８１には、それぞれのマークを地図上に登録した日付と時間を示す日付・時間表示部８２とそのマークの位置を示す緯度・経度表示部８３とが表示されている。この日付・時間表示部８２と緯度・経度表示部８３には、ナビゲーション装置１０にてマークされた位置の情報が読み込まれてそのまま表示される。
ここでは、このポイントマークリスト選択画面８１にて表示されたリストの一覧から、「１．日付２００１／０５／０１  時間１０：３７」のマークが選択されたものとして以下の説明を行う。
【００３４】
このように、地点情報に日付や時間の要素を含んで記録・格納しておくことによって、マークをつけた日付や時間等でデータのソートができるようになり、マークの整理を容易に行うことができるようになる。
また、地図情報にそのときにその場所で発生したニュースや出来事等を記録しておけば、時間が経過した後にこれらの情報に基づいた検索を行うこともできるようになる。
【００３５】
図３（ｂ）は、図３（ａ）に示したポイントマークリスト選択画面８１にて表示されたマークの一覧の中から、何れかのマークが選択された際に表示される検索条件選択画面８４を示している。この検索条件選択画面８４には、ポイントマークリスト選択画面８１にて選択したマークの位置の情報が日付・時間表示部８２ａ（「１．日付２００１／０５／０１  時間１０：３７」）、緯度・経度表示部８３ａ（「緯度３６°３８′１９″、経度１３８°３０′３６″」）として表示される。
さらに、この検索条件選択画面８４には、周辺半径選択ボタン８５と、選択ジャンルボタン８６と、個人名ボタン８７とが備えられている。ここで、それぞれのボタンが選択されたときの動作について図４を用いて説明する。
【００３６】
図４は、図３（ｂ）に示したそれぞれのボタンを選択した際に表示される、検索条件を絞り込むための画面である。
図４（ａ）は、図３（ｂ）に示した検索条件選択画面８４にて周辺半径選択ボタン８５が選択された際に表示される周辺半径選択画面９１を示す図である。この周辺半径選択画面９１には、周辺半径選択部９２と、周辺半径入力部９３と、ＯＫボタン９４と、キャンセルボタン９５とが備えられている。
図３（ｃ）は、図４（ａ）に示した周辺半径選択部９２の中から何れかの半径を選択し、ＯＫボタン９４を選択することによって表示される地点情報登録画面８８示す図である。この、地点情報登録画面８８には、図３（ａ）にて選択したマークを中心とする半径内にある地点情報のリストが表示される。また、周辺半径入力部９３に任意の値を入力し、ＯＫボタン９４を選択することによって、マーク中心とした検索範囲を任意に変更することもできる。ここで、キャンセルボタン９５を選択すると、周辺半径選択画面９１が閉じて、図３（ｂ）に示した検索条件選択画面８４が表示される。
【００３７】
図４（ｂ）は、図３（ｂ）に示した検索条件選択画面８４にて選択ジャンルボタン８６が選択された際に表示される選択ジャンル選択画面９６である。この選択ジャンル選択画面９６では、表示されている各種のジャンルの中から任意のものを選択することによって、マークされた地点の周辺に存在する地点情報を表示させることができる。ここで、キャンセルボタン９７を選択すると、選択ジャンル選択画面９６が閉じて、図３（ｂ）に示した検索条件選択画面８４が表示される。
図４（ｃ）は、図３（ｂ）に示した検索条件選択画面８４にて個人名ボタン８７が選択された際に表示される個人名検索画面９８である。この個人名検索画面９８では、表示されている各種のカテゴリにしたがって個人名や施設名を辿っていくことによって、マークされた地点に存在する地点情報を表示させることができる。ここで、キャンセルボタン９９を選択すると、個人名検索画面９８が閉じて、図３（ｂ）に示した検索条件選択画面８４が表示される。
【００３８】
さて、図４（ａ）にて、何れかの半径が選択されると、マークを中心とした半径に基づいて、地点情報検索サイト６０に記録されている地点情報の中から検索条件に該当するものが検索されて、検索結果として地点情報登録画面８８の地点情報選択部８９に地点情報リストとして表示される。この地点情報選択部８９に表示された地点情報の中から所望の項目を選択することによって、その項目についての詳細な地点情報がマークの位置の情報と関連付けられて、パーソナルコンピュータ４０のメモリまたは記録ディスクに保持される。また、パーソナルコンピュータ４０を介さずに地点情報検索サイト６０に接続している場合には、ナビゲーション装置１０のディスクドライブ１５にて記録ディスクに記録される。
【００３９】
ここで、図５および図６に示すフローチャートを用いて、ナビゲーション装置１０と、パーソナルコンピュータ４０とを用いた場合の地点情報の編集および取得に関する処理の流れを説明する。
図５は、本実施の形態においてナビゲーション装置１０にて登録されたマークに対して地点情報の記録を行う際の処理の流れを説明するフローチャートである。
まず、ナビゲーション装置１０に備えられたマークボタン１７若しくはリモートコントローラ１８に備えられたマークボタン１９を操作することによって、ナビゲーション装置１０に表示された地図上の任意の位置にマークを入力する（ステップ５０１）。このとき、ナビゲーション装置１０に表示されている地図上にはマークが表示され、当該マークをつけた日付を含む時間、および当該マークの位置を示す緯度・経度を記録したマークの位置の情報が、当該マークに関連付けられてナビゲーション装置１０の記録ディスクに記録される（ステップ５０２）。
その後、この記録ディスクに記録されたマークの位置の情報は、シリアルケーブル２６による通信または、メモリスティック２７によるデータの受け渡しによってパーソナルコンピュータ４０へと送信される（ステップ５０３）。そして、パーソナルコンピュータ４０では、ナビゲーション装置１０より送信されたマークの位置の情報に対して、上述したような編集が行われると共に、地点情報検索サイト６０からダウンロードされた詳細な地点情報が付加される。このようにして、マークの位置の情報に対して付加された詳細な地点情報は、パーソナルコンピュータ４０から、シリアルケーブル２６による通信または、メモリスティック２７によるデータの受け渡しによってナビゲーション装置１０へと送信され、このデータはナビゲーション装置１０にて受信される（ステップ５０４）。
ナビゲーション装置１０にて受信されたマークの位置の情報に付加された地点情報は、当該ナビゲーション装置１０のディスクドライブ１５にて記録ディスクに書き込まれ、蓄積される（ステップ５０５）。
【００４０】
図６は、本実施の形態におけるパーソナルコンピュータ４０での地点情報の編集および地点情報検索サイト６０からデータの取得を行う際の処理の流れを説明するフローチャートである。
まず、パーソナルコンピュータ４０は、ステップ５０３にてナビゲーション装置１０より送信されてきたマークの位置の情報を受信する（ステップ６０１）。ここで、この受信されたマークの位置の情報は、当該パーソナルコンピュータ４０に備えられたメモリまたは記録ディスクに保持される。
次に、マークの位置の情報に対して地点情報を付加するための地点情報編集ソフトウェアが起動される（ステップ６０２）。このパーソナルコンピュータ４０にインストールされている地点情報編集ソフトウェアによって、マークに付加する地点情報の編集や、地点情報検索サイト６０からのデータの取得が行われる。ステップ６０２にて地点情報編集ソフトウェアが起動された後には、地点情報の編集、即ちマークの位置の情報に対しての地点情報の付加が行われる（ステップ６０３）。ステップ６０３にて地点情報の編集を行った後、若しくはステップ６０３の処理を行わずに、地点情報検索サイト６０への接続が行われる（ステップ６０４）。また、この地点情報検索サイト６０への接続は、パーソナルコンピュータ４０が地点情報を保持していない場合や、ナビゲーション装置１０から受け取ったマークの位置の情報に対応する地点情報が存在しない場合に、自動的に行うこともできる。ステップ６０４にて地点情報検索サイト６０への接続が行われると、当該地点情報検索サイト６０からマークに関するデータの一覧を取得することができ、その一覧の中からユーザの所望するデータを選択することによって、このマークの位置の情報に関連付けられる詳細な情報を取得する（ステップ６０５）。
このようにして編集または取得されたマークの位置の情報に関連付けられた詳細な地点情報は、パーソナルコンピュータ４０のメモリまたは記録ディスクに保持される。その後、全てのマークに関する地点情報が編集若しくは取得されると、このマークの位置の情報に関連付けられた詳細な地点情報は、ナビゲーション装置１０へと送信される（ステップ６０６）。
【００４１】
さて、これまではナビゲーション装置１０からパーソナルコンピュータ４０を介して地点情報検索サイト６０より地点情報を取得する形態について説明した。しかしながら、パーソナルコンピュータ４０を用いない以下のような構成を用いても、地点情報を検索して取得し、ナビゲーション装置１０の記録ディスクに記録・格納することが可能である。
【００４２】
図７は図１と同様に、本実施の形態において、ナビゲーション装置１０にて登録したマークに関する地点情報を、ネットワークを介して配信するためのシステムの概略を示すブロック図である。
図７に示すように、本実施の形態におけるナビゲーション装置１０にて登録されたマークの地点情報を配信するネットワーク配信システムは、ナビゲーション装置１０と地点情報検索サイト６０とが、通信手段としての携帯電話７０及び広域ネットワークであるインターネット５０を介して相互接続された構成となっている。
【００４３】
ナビゲーション装置１０は、図１に示したものと同様に、地図やマーク、地点情報等を表示する表示部や、このナビゲーション装置１０を操作するための操作部等を備えている。ここで、図７に示した地点情報のネットワーク配信システムでは、通信手段として携帯電話７０を使用するため、ナビゲーション装置１０と携帯電話７０との双方には相互にケーブル接続を行うためのポートが備えられているものとする。ナビゲーション装置１０は、このケーブルを介して携帯電話７０からの発信を行ってインターネット５０に接続し、データの送受信を行うことができる。また、双方の機器に赤外線ポートが備えられていればこの赤外線ポートを用いてネットワークとの通信を行うことも可能である。
【００４４】
このようにすれば、ナビゲーション装置１０に携帯電話７０を接続することによって、インターネット５０を介して地点情報検索サイト６０へと直接接続することができ、ナビゲーション装置１０にてマークされた位置に関する詳細な地点情報を取得することができる。マークの位置の情報に基づいて取得された詳細な地点情報は、ナビゲーション装置１０へと送信される。そしてこの地点情報は、ナビゲーション装置１０に備えられたディスク等に蓄積することができる。
【００４５】
次に、図８を用いて、図７に示した地点情報のネットワーク配信システムのうちで、ナビゲーション装置１０から携帯電話７０を介してインターネット５０に接続する場合のナビゲーション装置１０の部分についての機能構成について説明する。
図８に示したナビゲーション装置１０は、図２にて示したナビゲーション装置１０とほぼ同じような機能構成となっている。よって図２にて示したナビゲーション装置１０と機能構成が同一の部分については、同じ符号を付して説明を省略する。
さて、図８に示すように、このナビゲーション装置１０は、ＧＰＳ１１と、ＲＯＭ１２と、ＲＡＭ１３と、ＣＰＵ１４と、ディスクドライブ１５と、ディスプレイ１６と、マークボタン１７と、マークボタン１９を備えたリモートコントローラ１８と、シリアルポート２１と、携帯電話７０を介してインターネット５０に接続することのできるモデム２４を備えたインターネット接続部２３とを備えている。
そして、このナビゲーション装置１０に備えられた図示しない操作部や、リモートコントローラ１８に備えられた図示しない操作ボタン等を操作することによってインターネット５０を介して地点情報検索サイト６０に接続することができる。
ここで、インターネット接続部２３は、モデム２４を備えた構成に限られるものではなく、ＰＨＳ（Personal Handy-phone System）等の機能を備えた通信機器を用いるような構成として、インターネット５０に接続することができれば他の構成を用いても構わない。
またここで、シリアルポート２１は必須構成ではないが、外部機器と接続してデータの送受信を行うことができる。
このような構成にすれば、図１および図２に示したようにパーソナルコンピュータ４０を用いた簡便な操作によりマークの位置の情報や地点情報の編集を行うことはできないが、パーソナルコンピュータ４０を介さない簡単な機器構成にて地点情報検索サイト６０への接続やデータの送受信が行えるようになる。つまり、簡単な機器構成にて接続を行い、詳細な地点情報を取得して、ナビゲーション装置１０の記録ディスクに記録・格納することができるようになる。
また、図１および図２に示した構成を用いた場合と同様に、忘れかけていたマークの地点の情報を検索することができるようになるため、ユーザの記憶だけに頼って地点情報を作成するときよりも確かな情報を記録することができるようになる。
【００４６】
以上のように、本実施の形態によれば、インターネット５０上に構築された地点情報検索サイト６０にアクセスすることにより、簡便な操作で詳細な地点情報を取得することができる。
これによって、従来、敬遠しがちであったマークへの地点情報の記録をサポートすることができるようになり、この操作の簡略化を図ることができる。
また、地点情報検索サイト６０を介してインターネット５０上に存在する多くの情報を地点情報として取得できるため、マークした地点に関してユーザが個別的により一層詳しい情報を欲する場合にも対応することができる。
さらに、マークをつけた際に記録される日付・時間の情報を活用して、マークやこのマークに付加された地点情報を効率良く整理し、利用することができるようになる。
【００４７】
◎実施の形態２
実施の形態１では、ナビゲーション装置１０にて登録されたマークの位置の情報に基づいて地点情報を編集し、さらに地点情報検索サイト６０から地点情報を取得する例について説明した。実施の形態２では、ナビゲーション装置１０ではなく、地図を表示することのできるＰＤＡ（Personal Digital Assistant）にて登録されたマークの位置の情報に基づいて地点情報を編集する例、および地点情報検索サイト６０から地点情報を取得する例について説明する。
【００４８】
図９は、本実施の形態におけるＰＤＡ３０にて登録したマークに関する地点情報を、ネットワークを介して配信するためのシステムの概略を示すブロック図である。
図９に示すように、本実施の形態におけるＰＤＡ３０にて登録されたマークの地点情報のネットワーク配信システムは、ＰＤＡ３０と地点情報検索サイト６０とが、通信手段としての携帯電話７０および広域ネットワークであるインターネット５０を介して相互接続された構成となっている。
【００４９】
ＰＤＡ３０は、このＰＤＡ３０に記録されている地図やマーク、地点情報等を表示することのできる表示部や、このＰＤＡ３０を操作するための操作部等を備えている。ここで、図９に示した地図情報の配信システムでは、通信手段として携帯電話７０を用いるため、ＰＤＡ３０と携帯電話７０との双方には相互にケーブル接続を行うためのポートが備えられているものとする。ＰＤＡ３０はこのポートを介して携帯電話７０からの発信を行い、インターネット５０に接続することができる。
このように、インターネット５０を介してＰＤＡ３０を地点情報検索サイト６０に接続することができれば、ＰＤＡ３０にてマークされた位置の情報に基づいて、マークが登録された位置の周辺の詳細な地点情報を取得することができる。地点情報検索サイト６０より取得された詳細な地点情報は、ＰＤＡ３０に備えられたメモリ等に、マークに関連付けられた地点情報として蓄積することができる。
【００５０】
図１０は、図９に示した地点情報のネットワーク配信システムのうちで、ＰＤＡ３０の部分についての機能構成を説明するブロック図である。
図１０に示すように、本実施の形態におけＰＤＡ３０は、ＧＰＳ衛星から発信された信号を受信し、受信された信号に基づいて測位を行うＧＰＳ３１と、ＰＤＡ３０を動作させるための所定のプログラムが格納されたＲＯＭ３２と、ＤＲＡＭとフラッシュメモリとを組み合わせてなる内部記憶装置としてのＲＡＭ３３と、このＰＤＡ３０全体の制御や演算処理を行うＣＰＵ３４と、地図や様々な情報等をＧＵＩで表示するディスプレイ３５と、このディスプレイ３５に表示された地図にマークを登録するためのマークボタン３６と、インターネット５０に対して接続を行うためのモデム３８を備えたインターネット接続部３７と、ＵＳＢポート３９とを備えている。また、このＰＤＡ３０には、マークボタン３６以外にも当該ＰＤＡ３０の操作を行うために必要な操作ボタン等が備えられているものとする。
本実施の形態においては、インターネット接続部３７にモデム３８を備えた構成を例示したが、ＰＨＳ等の機能を備えた通信機器を内蔵するような構成として、インターネット５０に接続するようにしても構わない。このようにすれば、携帯電話７０を介すことなくインターネット５０に対する接続を行うことができるようになるため、機器構成を簡略化することができる。
またここで、ＵＳＢポート３９は必須構成ではないが、外部機器と接続してデータの送受信を行うことができる。
【００５１】
ＰＤＡ３０は、ＲＡＭ３３に記録・格納されている地図を読み出してディスプレイ３５に表示させることができると共に、地図情報として記録・格納されている簡単な地点情報を元に、ルート探索等のナビゲーションを行うことができる。
ここで、ＰＤＡ３０のディスプレイ３５に地図を表示した状態で、マークボタン３６を操作して任意の地点にマークを登録すると、当該マークを登録した日付を含む時間の情報と、当該マークが登録された位置の緯度・経度の情報とが、マークの位置の情報としてＲＡＭ３３へと記録される。このとき、ユーザはＰＤＡ３０に備えられた図示しない操作部からの入力操作によってユーザ個別の地点情報を作成し、マークの位置の情報と関連付けてＲＡＭ３３に記録・格納しておくことができる。
さらに、本実施の形態では、ＰＤＡ３０から携帯電話７０とインターネット５０を介して地点情報検索サイト６０へと接続することができる。この地点情報検索サイト６０には、実施の形態１にて説明したように、詳細な地点情報が記録・格納されているものとする。これによって、ＰＤＡ３０にて登録されたマークの位置の情報に基づいてこの位置の周辺の詳細な地点情報を、地点情報検索サイト６０から直接ダウンロードして取得することが可能である。このようにして、地点情報検索サイト６０より取得した地点情報は、ＰＤＡ３０のＲＡＭ３３へ記録・格納することができる。また、地図上に登録されたマークからこの詳細な地点情報を読み出して、ディスプレイ３５に表示させることができる。さらに、ＲＡＭ３３に記録・格納された、この詳細な地点情報を元に、ルート探索等を行うこともできる。
【００５２】
次に、フローチャートを用いて、ＰＤＡ３０における地点情報の編集および地点情報検索サイト６０からＰＤＡ３０への地点情報の取得に関する処理の流れを説明する。
図１１は、本実施の形態においてＰＤＡ３０で登録されたマークに対して、地点情報の記録を行う際の処理の流れを説明するフローチャートである。
まず、ＰＤＡ３０に備えられたマークボタン３６を操作することによって、当該ＰＤＡ３０に表示された地図上の任意の位置にマークを入力する（ステップ１１０１）。このとき、ＰＤＡ３０に表示されている地図上にはマークが表示され、当該マークをつけた日付を含む時間、および当該マークの位置を示す緯度・経度を記録したマークの位置の情報が、登録された当該マークに関連付けられてＰＤＡ３０のＲＡＭ３３に記録される（ステップ１１０２）。
その後、ＰＤＡ３０では登録されたマークに対して、階層構造を辿って予め定められた情報を選択することによって地点情報を入力、またはユーザの手入力によって登録されたマークに関する地点情報を編集する（ステップ１１０３）。
ここで、登録されたマークに関するさらに詳しい情報を取得するために、携帯電話７０やインターネット５０を介して、地点情報検索サイト６０に接続する（ステップ１１０４）。このとき、地点情報検索サイト６０に接続されたＰＤＡ３０からは、マークの位置の情報が送信される。その後、送信されたマークの位置の情報に基づいて地点情報検索サイト６０から、登録されたマークの位置の周辺の地点情報を取得する（ステップ１１０５）。取得された地点情報が複数あった場合には、その中から任意のものを選択してダウンロードすることができる。
このようにしてＰＤＡ３０にて受信された地点情報は、ＰＤＡ３０のＲＡＭ３３に書き込まれ、蓄積される（ステップ１１０６）。
【００５３】
このように、本実施の形態によれば、持ち運びが可能なＰＤＡ３０のような機器においても、地点情報検索サイト６０に接続することが可能である。
これによって、手入力による煩雑な地図情報の入力作業を行わずに、正確かつ詳細な情報を取得して、マークに関連付けて記録しておくことができるようになる。
【００５４】
【発明の効果】
以上説明したように、本発明によれば、マークした地点に対して、詳細な地点情報を簡易な作業で取得し付加することを実現し、ナビゲーション装置の利便性を向上させることができる。
【００５５】
また、本発明によれば、マークした地点に関する個別的な地点情報の付加を支援する手段を提供するができる。
【図面の簡単な説明】
【図１】  実施の形態１におけるナビゲーション装置１０の地点情報をネットワークを介して配信するシステムの概略を示すブロック図である。
【図２】  実施の形態１におけるナビゲーション装置１０とパーソナルコンピュータ４０の機能構成を示すブロック図である。
【図３】  実施の形態１においてパーソナルコンピュータ４０またはナビゲーション装置１０に表示される画面の一例を示した図である。
【図４】  実施の形態１においてパーソナルコンピュータ４０またはナビゲーション装置１０に表示される画面の一例を示した図である。
【図５】  実施の形態１におけるナビゲーション装置１０での処理の流れを説明するためのフローチャートである。
【図６】  実施の形態１におけるパーソナルコンピュータ４０での処理の流れを説明するためのフローチャートである。
【図７】  実施の形態１におけるナビゲーション装置１０の地点情報をネットワークを介して配信するシステムの概略を示すブロック図である。
【図８】  実施の形態１におけるナビゲーション装置１０の機能構成を示すブロック図である。
【図９】  実施の形態２における地点情報をネットワーク配信システムを介して配信するシステムの概略を示すブロック図である。
【図１０】  実施の形態２におけるＰＤＡ３０の機能構成を示すブロック図である。
【図１１】  実施の形態２における地点情報の編集および取得に関する処理の流れを説明するためのフローチャートである。
【符号の説明】
１０…ナビゲーション装置、１１…ＧＰＳ、１２…ＲＯＭ、１３…ＲＡＭ、１４…ＣＰＵ、１５…ディスクドライブ、１６…ディスプレイ、１７…マークボタン、１８…リモートコントローラ、１９…マークボタン、２１…シリアルポート、２２…外部記録媒体インターフェース（Ｉ／Ｆ）、２３…インターネット接続部、２４…モデム、３０…ＰＤＡ、３１…ＧＰＳ、３２…ＲＯＭ、３３…ＲＡＭ、３４…ＣＰＵ、３５…ディスプレイ、３６…マークボタン、３７…インターネット接続部、３８…モデム、３９…ＵＳＢポート、４０…パーソナルコンピュータ、４１…シリアルポート、４２…外部記録媒体インターフェース（Ｉ／Ｆ）、４３…インターネット接続部、４４…モデム、４５…ディスプレイ、５０…インターネット、６０…地点情報検索サイト、７０…携帯電話、８１…ポイントマークリスト選択画面、８２…日付・時間表示部、８３…緯度・経度表示部、８４…検索条件選択画面、８５…周辺半径選択ボタン、８６…選択ジャンルボタン、８７…個人名ボタン、８８…地点情報登録画面、８９…地点情報選択部、９１…周辺半径選択画面、９２…周辺半径選択部、９３…周辺半径入力部、９４…ＯＫボタン、９５…キャンセルボタン、９６…選択ジャンル選択画面、９７…キャンセルボタン、９８…個人名検索画面、９９…キャンセルボタン
【図１】
0004929539.tif 000002
【図２】
0004929539.tif 000003
【図３】
0004929539.tif 000004
【図４】
0004929539.tif 000005
【図５】
0004929539.tif 000006
【図６】
0004929539.tif 000007
【図７】
0004929539.tif 000008
【図８】
0004929539.tif 000009
【図９】
0004929539.tif 000010
【図１０】
0004929539.tif 000011
【図１１】
0004929539.tif 000012